(57)【要約】【課題】  レコーディングする際のセッティングを容易に行えるようにする。【解決手段】  ミキサー１から出力される入力チャンネルの音響信号をＰＣ（ＤＡＷ）６でレコーディングする。ＰＣ（ＤＡＷ）６でレコーディング用の新規プロジェクトを作成する際に、ミキサー１からチャンネル構成情報を取得して、取得したチャンネル数と同数のトラックを作成して、各トラックに取得したチャンネル名をトラック名として付与する。これにより、レコーディングする際のセッティングを容易に行えるようになる。【選択図】  図１
2013247420.tif 000002
【特許請求の範囲】
【請求項１】
ミキサーから出力される１以上のチャンネルの音響信号をレコーディングする録音機能を有している音響信号処理装置であって、
前記ミキサーからチャンネル構成情報を取得して、レコーディング時に作成される新規プロジェクトのトラック構成情報に取得した前記チャンネル構成情報を反映させ、前記チャンネル構成情報が反映されて作成された１以上の前記チャンネルと同数のトラックに、１以上の前記チャンネルの音響信号をそれぞれ録音するようにしたことを特徴とする音響信号処理装置。
【請求項２】
前記チャンネル構成情報に含まれているチャンネル数とチャンネル名との情報が、少なくとも前記トラック構成情報のトラック数とトラック名との情報に反映されて、１以上の前記チャンネルと同数の前記トラックが作成されると共に、作成されたトラックのそれぞれに前記チャンネル名と同じトラック名が付与されることを特徴とする請求項１記載の音響信号処理装置。
【請求項３】
ミキサーから出力される１以上のチャンネルの音響信号をレコーディングする録音機能を有する音響信号処理装置として機能しているコンピュータに、
前記ミキサーから取得したチャンネル構成情報を反映させて、１以上の前記チャンネルと同数のトラックとされたトラック構成情報の新規プロジェクトを、レコーディング時に作成するステップと、
１以上の前記チャンネルの音響信号を、１以上の前記トラックにそれぞれ録音するステップと、
を実行させることを特徴とするプログラム。
【発明の詳細な説明】
【技術分野】
【０００１】
この発明は、ミキサーから出力される音響信号をレコーディングすることができる音響信号処理装置（ＤＡＷ）に関する。
【背景技術】
【０００２】
従来、施設内や校内の放送などの多数の人に音声情報を伝達する放送設備であるＰＡ（Public Addressing）や、コンサート会場などの大規模会場であっても隅々まで音質を均一にして演奏音やボーカル音などを伝達する放送設備であるＳＲ（Sound Reinforcement）の現場においては、楽器の演奏音やボーカル音をマイクで収音し、ミキシングしてパワーアンプや各種録音機器に送り出したり、エフェクタや演奏しているプレーヤに送り出すミキサーが用いられている。従来のミキサーは、マイクで収音された音響信号やシンセサイザー等のディジタル録音機器からの音響信号が入力される入力ポートと、ディジタルおよびアナログの音響信号を出力する出力ポートとを備えるＩ／Ｏユニットと、ディジタルの音響信号のミキシング処理やエフェクト処理を行う音響信号処理ユニットと、各種パネル操作子を操作することにより、演奏を最もふさわしく表現していると思われる状態に調整するコンソールとを備えている。ミキサーのアナログの音響信号が出力される出力ポートにはアンプが接続され、アンプには会場内等に設置された複数のスピーカが接続されており、アンプで増幅された音響信号がスピーカから放音されるようになされている。
【０００３】
従来のＰＡ／ＳＲの現場においては、ＭＴＲ（Multi Trak Recorder）を用いて、ミキサーから出力される各チャンネルの音響信号を別々のトラックにレコーディングしている。これにより、音楽制作時に別々にレコーディングしたドラムやベース、ギター、ピアノなどの各楽器音とボーカルのそれぞれの音量やパンを調節したり、ボーカルにエフェクトをかけたり、楽器毎に異なるエフェクトをかけたりすることができる。このようにして、レコーディング後にそれぞれの音響信号の音質を細かく調節することにより、音楽制作を行うことができる。
ところで、汎用のコンピューターを用いる音響信号処理装置において、ディジタル信号処理により演奏データの録音や編集、ミキシング等の音響処理作業を行うことが知られている。このような音響信号処理装置は、コンピューターに「ＤＡＷソフト」と云われるアプリケーションプログラムをインストールすることにより実現されており、デジタルオーディオワークステーション（Digital Audio Workstation：ＤＡＷ）と呼ばれている。ＤＡＷの機能が進歩してリアルタイムレコーディングが可能になったこと、ＤＡＷが動作するコンピューターは可搬性に優れていることから、ＭＴＲに替えてＰＡ／ＳＲの現場においてＤＡＷを用いてミキサーの各チャンネルの音響信号をレコーディングするようになってきている。
【０００４】
ところで、ＰＡ／ＳＲシステムとレコーディングシステムは、独立して設計／運用されることが多いことから、それぞれのシステムで、チャンネル構成情報あるいはトラック構成情報などのセッティングから運用までを個々に行っている。この場合、従来のＤＡＷにおいて、トラックの構成情報をテンプレートとして保存しておき、新規プロジェクトをあらかじめプログラムに含まれるテンプレートからスタートすることで、プロジェクトごとに、トラックの構成を最初から設定する手間を省くことが知られている（非特許文献１参照）。
また、ミキサーおよびＤＡＷとも、事前にチャンネル構成情報あるいはトラック構成情報などを設定しておくことが可能とされており、現場のセッティング時に、必要なケーブルを接続すると共に、論理的にもミキサーとＤＡＷソフトとを接続すればよいようにされている。しかし、現場のセッティング時に、チャンネル数の変更などがあった場合は、ミキサー側およびＤＡＷ側において、それぞれセッティングを変更する必要があった。
【０００５】
また、従来のＤＡＷにおいては、トラックデータと、使用設定されている外部機器の特定情報と、外部機器のパラメータとを含むプロジェクトファイルが読み込まれた際に、通信網に接続されている音楽機器を検出し、検出された外部機器を、プロジェクトファイルの保存時に使用設定されていた外部機器に対応付けして、対応付けできた外部機器に対してパラメータ記憶手段の記憶するパラメータを転送することにより、該外部機器と該パラメータ記憶手段の間でパラメータを同期化することが考えられている。これにより、外部機器と該パラメータ記憶手段の間でパラメータを同期化することができ、対応付けすることのできた現存する音楽機器について保存時の音楽機能を復元することができる（特許文献１参照）。
【先行技術文献】
【非特許文献】
【０００６】
【非特許文献１】Steinberg Media Technologies GmbH  CUBASE LE5 オペレーションマニュアル，P.9-12，［online］, ［平成２３年１１月  ３日検索］，インターネット<http://www.zoom.co.jp/archive/Japanese_Manual/CubaseLE5_Operation_Manual_jp.pdf>
【特許文献】
【０００７】
【特許文献１】特開２００７−２９３３１２号公報
【発明の概要】
【発明が解決しようとする課題】
【０００８】
ミキサーの各チャンネルの音響信号をＤＡＷを用いてレコーディングする場合においては、ミキサーへの入力とは別とされた音響信号がＤＡＷへ入力されたり、ミキサーの入力チャンネルのダイレクトアウトがＤＡＷに入力されたり、ミキサーの入力チャンネルの任意のポイントからの出力がＤＡＷに入力されてレコーディングされるようになる。このように、ミキサーとＤＡＷで別個にセッティングが行われるため、レコーディングする際にセッティングの手間がかかったり、セッティングの急な修正が必要になったときも同様に手間がかかることになる。上記したように、レコーディングする際にお互いのマッチングを取りながら、ＤＡＷをセットアップするのは多くの手間がかかるという問題点があった。
そこで、本発明はレコーディングする際に音響信号処理装置（ＤＡＷ）のセッティングを容易に行えるようにした音響信号処理装置を提供することを目的としている。
【課題を解決するための手段】
【０００９】
上記目的を達成するために、本発明の音響信号処理装置は、ミキサーから出力される１以上のチャンネルの音響信号をレコーディングする録音機能を有している音響信号処理装置であって、前記ミキサーからチャンネル構成情報を取得して、レコーディング時に作成される新規プロジェクトのトラック構成情報に取得した前記チャンネル構成情報を反映させ、前記チャンネル構成情報が反映されて作成された１以上の前記チャンネルと同数のトラックに、１以上の前記チャンネルの音響信号をそれぞれ録音するようにしたことを最も主要な特徴としている。
【発明の効果】
【００１０】
本発明は、ミキサーからチャンネル構成情報を取得して、レコーディング時に作成される新規プロジェクトのトラック構成情報に取得されたチャンネル構成情報が反映されることから、ミキサーから出力されるチャンネルの音響信号を音響信号処理装置においてレコーディングする際のセッティングを容易に行えるようになる。なお、チャンネル構成情報に含まれているチャンネル数とチャンネル名との情報が、少なくともトラック構成情報のトラック数とトラック名との情報に反映されることが好適とされる。
【図面の簡単な説明】
【００１１】
【図１】本発明の実施例の音響信号処理装置を用いる音響信号処理システムの構成を示すブロック図である。
【図２】本発明の実施例の音響信号処理装置がオーディオネットワークに接続されている他の音響信号処理システムの構成を示す図である。
【図３】本発明の実施例の音響信号処理装置を用いる音響信号処理システムを構成するミキサーのハードウェア構成を示すブロック図である。
【図４】本発明の実施例の音響信号処理装置を用いる音響信号処理システムを構成するミキサーの処理アルゴリズムを等価的に示す機能ブロック図である。
【図５】本発明の実施例の音響信号処理装置を用いる音響信号処理システムを構成するミキサーにおける入力チャンネルと出力チャンネルの構成を示す回路ブロック図である。
【図６】本発明の実施例の音響信号処理装置で実行される接続時の処理のフローチャートである。
【図７】本発明の実施例の音響信号処理装置を用いるミキサーのチャンネル構成情報のメモリイメージを示す図である。
【図８】本発明の実施例の音響信号処理装置のチャンネル構成情報のメモリイメージを示す図である。
【発明を実施するための形態】
【００１２】
本発明の実施例の音響信号処理装置を用いる音響信号処理システムの構成を示すブロック図を図１に示す。
図１に示す音響信号処理システムは、ＰＡ／ＳＲシステムと、ＰＡ／ＳＲシステムに接続されているレコーディングシステムとから構成されている。ＰＡ／ＳＲシステムは、会場等に設置された複数本のマイク３ａ，・・・，３ｈからのアナログの音響信号と、シンセサイザー２からのディジタルの音響信号が入力されるミキサー１と、ミキサー１から出力されるミキシングされた音響信号を増幅するアンプ４と、アンプ４から出力される増幅された音響信号を放音する複数のスピーカ５ａ，・・・，５ｋとを備えている。また、レコーディングシステムはＤＡＷソフトがインストールされ、ＤＡＷが動作しているパーソナルコンピュータ（ＰＣ）６から構成されている。このＰＣ（ＤＡＷ）６が、本発明の音響信号処理装置の実施例とされている。
【００１３】
ミキサー１は、入力信号系列である複数の入力チャンネルと、入力チャンネルからの音響信号をミキシングするバスと、ミキシングされた音響信号を出力する出力信号系列である出力チャンネルを備えている。各入力チャンネルはそれぞれ入力される音響信号の周波数特性やミキシングレベル等を制御して各ミキシングバスに出力し、各ミキシングバスは入力された音響信号をミキシングして対応する出力チャンネルに出力する。本発明にかかるＰＣ（ＤＡＷ）６は、ミキサー１から出力された各入力チャンネルの音響信号を、複数のトラックを有するプロジェクトの各トラックにアサインして録音することができる。レコーディング時にミキサー１からＰＣ（ＤＡＷ）６に出力される音響信号としては、入力チャンネルのフェーダーより前の所定の箇所の音響信号が出力ポートから直接出力されるダイレクトアウト信号や、入力チャンネルのレベルを調整するフェーダーの直後のポストフェーダー信号とされる。ミキサー１から出力される音響信号は、ミキサー１において設定することができる。
【００１４】
また、本発明の音響信号処理装置がオーディオネットワークに接続されて構成された他の音響信号処理システムの構成を図２に示す。
図２に示す音響信号処理システムは、イーサネット（登録商標）などのオーディオネットワーク７を備えており、オーディオネットワーク７にＡＤ／ＤＡ部１ａと信号処理部（ＤＳＰ部）１ｂとコンソール部１ｃとＰＣ（ＤＡＷ）６とが接続されて構成されている。また、オーディオネットワークには本発明にかかる音響信号処理装置の実施例であるＰＣ（ＤＡＷ）６が接続されている。ＡＤ／ＤＡ部１ａは、マイクやシンセサイザーなどが接続される入力端子である物理的な入力ポートや、アンプ等が接続される出力端子である物理的な出力ポート、および、オーディオネットワーク７に接続される通信Ｉ／Ｏ端子を備えている。さらに、アナログ入力ポートに入力された複数のアナログ信号をディジタル信号に変換して出力するＡＤ変換器と、アナログ出力ポート部に供給された複数のディジタル出力信号を、アナログ出力信号に変換して出力するＤＡ変換器とを備えている。また、ＤＳＰ部１ｂは、多数のＤＳＰ（Digital Signal Processor）を用いて構成されていると共に、オーディオネットワーク７に接続される通信Ｉ／Ｏ端子を備え、ミキシング処理やエフェクト処理などを行っている。
【００１５】
コンソール部１ｃには、コンソールパネルに入力チャンネルのミキシングバスへの送り出しレベルを調整する複数の電動フェーダー、各種パラメータを操作するための多数の操作子やオーディオネットワーク７に接続される通信Ｉ／Ｏ端子が設けられている。コンソール部１ｃを扱うオペレーターは、演奏音やボーカル音の各オーディオ信号の音量や音色を、電動フェーダーや各種操作子を操作することにより、演奏を最もふさわしく表現していると思われる状態に調整している。ＰＣ（ＤＡＷ）６にはＤＡＷソフトがインストールされ、ＤＡＷが動作している本発明の実施例の音響信号処理装置であり、オーディオネットワーク７に接続される通信Ｉ／Ｏ端子を備え、音響信号の記録や再生、あるいはエフェクト付与やミキシング等の音響信号処理機能が実現されている。
ＡＤ／ＤＡ部１ａとＤＳＰ部１ｂとコンソール部１ｃとがオーディオネットワーク７により論理的に接続されることにより、図１に示すミキサー１と同等のミキサーが実現される。この実現されたミキサーのレコーディングをＰＣ（ＤＡＷ）６で動作しているＤＡＷで行うことができる。この際に、当該ミキサーにＰＣ（ＤＡＷ）６がオーディオネットワーク７により論理的に接続されていることから、ＤＡＷはＡＤ／ＤＡ部１ａとＤＳＰ部１ｂとコンソール部１ｃとで構成されるミキサーの任意の位置に論理的接続して、任意の位置の信号を取り出すことができるようになる。すなわち、上記した他の音響信号処理システムでは、入力チャンネルのダイレクトアウト信号やポストフェーダー信号などを、ＰＣ（ＤＡＷ）６側で設定してＤＡＷに録音することができるようになる。
【００１６】
ＰＣ（ＤＡＷ）６で動作しているＤＡＷは、図１，２に示す音響信号処理システムにおけるミキサーから出力された各チャンネルの音響信号を録音する際に、新規プロジェクトを作成する。新規プロジェクトには、ミキサーのチャンネル数と同数のトラックを作成すると共に、各チャンネルのチャンネル名をトラックのトラック名として設定する。そして、チャンネル番号とチャンネル名をトラック番号とトラック名に対応させて、各チャンネルを各トラックにアサインして、各トラックにレコーディングする。この場合、本発明にかかる音響信号処理装置であるＰＣ（ＤＡＷ）６で動作しているＤＡＷでは、新規プロジェクトを作成する際に、ミキサー側からチャンネル数とチャンネル名とのチャンネル構成情報を少なくとも取得して、取得したチャンネル数と同数のトラックを自動的に作成すると共に、取得したチャンネル名を各トラックにトラック名として自動的に付与する。これにより、ＰＣ（ＤＡＷ）６でレコーディングを行う際に、ユーザーがミキサーのチャンネル数やチャンネル名を確認しながらセッティングすることなく、ＰＣ（ＤＡＷ）６のＤＡＷのレコーディング時のセッティングを容易に行うことができるようになる。
【００１７】
ここで、図１に示すミキサー１のハードウェア構成を示すブロック図を図３に示す。なお、図２に示す他の音響信号処理システムで実現されるミキサーのハードウェア構成も図３に示すハードウェア構成と等価になる。
図３に示すミキサー１は、ＣＰＵ（Central Processing Unit）１０が管理プログラム（ＯＳ：Operating System）を実行しており、ミキサー１の全体の動作をＯＳ上で制御している。ミキサー１は、ＣＰＵ１０が実行する制御プログラム等の動作ソフトウェアが格納されている不揮発性のＲＯＭ（Read Only Member）１１と、ＣＰＵ１０のワークエリアや各種データ等が記憶されるＲＡＭ（Random Access Memory）１２を備えている。ＣＰＵ１０は、制御プログラムを実行することにより、入力された複数の音響信号に音響信号処理をＤＳＰ２０により施して混合処理を行っている。なお、ＲＯＭ１１をフラッシュメモリ等の書き換え可能なＲＯＭとすることで、動作ソフトウェアの書き換えを可能とすることができ、動作ソフトウェアのバージョンアップを容易に行うことができる。ＤＳＰ２０はＣＰＵ１０の制御の基で、入力された音響信号の音量レベルや周波数特性を設定されたパラメータに基づいて調整してミキシングし、音量、パン、効果などの音響特性をそのパラメータに基づいて制御する音響信号処理を行っている。エフェクタ（ＥＦＸ）１９はＣＰＵ１０の制御の基で、ミキシングされたオーディオ信号にリバーブ、エコーやコーラス等のエフェクトを付加している。
【００１８】
表示ＩＦ１３は、液晶表示器等の表示部１４に音響信号処理に関する種々の画面を表示させる表示インタフェースである。検出ＩＦ１５は、ミキサー１のコンソールのパネルに設けられているフェーダ、ノブやスイッチ等の操作子１６をスキャンして、操作子１６に対する操作を検出しており、検出された操作信号に基づいて音響信号処理に用いるパラメータの編集や操作を行うことができる。通信ＩＦ１７は、通信Ｉ／Ｏ１８を介して外部機器と通信を行うための通信インタフェースであり、イーサネット（登録商標）などのネットワーク用のインタフェースとされる。ＣＰＵ１０、ＲＯＭ１１、ＲＡＭ１２、表示ＩＦ１３、検出ＩＦ１５、通信ＩＦ１７、ＥＦＸ１９、ＤＳＰ２０は通信バス２１を介して相互にデータ等の授受を行っている。
【００１９】
ＥＦＸ１９およびＤＳＰ２０は音声バス２５を介して入出力部を構成するＡＤ２２、ＤＡ２３、ＤＤ２４とデータ等の授受を行っている。ＡＤ２２は、アナログの音響信号が入力される入力端子である物理的な１つ以上の入力ポートを備え、ＡＤ２２の入力ポートに入力されたアナログの音響信号はディジタルの音響信号に変換されて音声バス２５に送出される。ＤＡ２３は、ミキシングされた混合信号を外部へ出力する出力端子である物理的な１つ以上の出力ポートを備え、ＤＡ２３において音声バス２５を介して受け取ったディジタルの音響信号はアナログの音響信号に変換されて出力ポートから出力され、この出力ポートに接続されている会場やステージに配置されたスピーカから出力される。ＤＤ２４は、ディジタルの音響信号が入力される入力端子である物理的な１つ以上の入力ポートと、外部にミキシングされたディジタルの音響信号を出力する出力端子である物理的な１つ以上の出力ポートとを備え、ＤＤ２４において入力ポートに入力されたディジタルの音響信号は音声バス２５に送出され、音声バス２５を介して受け取ったディジタルの音響信号は出力ポートから出力され、この出力ポートに接続されているレコーディングシステム等に供給される。なお、ＡＤ２２およびＤＤ２４から音声バス２５へ送出されたディジタルの音響信号はＤＳＰ２０が受け取って上記したディジタル信号処理が施される。また、ＤＳＰ２０から音声バス２５に送出されたミキシングされたディジタルの音響信号はＤＡ２３あるいはＤＤ２４が受け取るようになる。
【００２０】
次に、ミキサー１の処理アルゴリズムを等価的に示す機能ブロック図を図４に示す。以下の記載においてはチャンネルをｃｈと表す。
図４において、複数の入力ポート３０を介して供給されるディジタルの音響信号は入力パッチ（Input Patch）３１に入力される。この入力ポート３０は、ＡＤ２２およびＤＤ２４が備えている物理的な入力端子である。入力パッチ３１では、音響信号の入力元である複数の物理的な入力ポートのそれぞれを、Ｎｃｈ（Ｎは１以上の整数：例えば９６ｃｈ）とされる入力ｃｈ部３２が備える論理的な各入力ｃｈ（Input Channel）３２−１，３２−２，３２−３，・・・・，３２−Ｎに選択的にパッチ（結線）している。この場合、入力ポートは複数の入力ｃｈにパッチすることができるが、入力ｃｈには一つの入力ポートしかパッチすることができない。各入力ｃｈ３２−１〜３２−Ｎには、入力パッチ３１でパッチされた入力ポート３０からの音響信号In.1,In.2,In.3,・・・,In.Nがそれぞれ供給される。各入力ｃｈ３２−１〜３２−Ｎでは、各入力ｃｈに入力された音響信号In.1,In.2,In.3,・・・,In.Nの音響特性等が調整される。すなわち、入力ｃｈ部３２における各入力ｃｈ３２−１〜３２−Ｎに入力された各入力ｃｈ信号は、入力ｃｈ毎にイコライザやコンプレッサにより音響信号の特性が調整されると共に送り出しレベルが制御されてＭ本（Ｍは１以上の整数）の混合バス（Mix Bus）３３およびＬ，Ｒのステレオのキューバス（Cue Bus）３４へ送出される。この場合、入力ｃｈ部３２から出力されるＮ入力ｃｈ信号は、Ｍ本の混合バス３３の１ないし複数に選択的に出力される。
【００２１】
混合バス３３においては、Ｍ本の各バスにおいて、Ｎ入力ｃｈのうちの任意の入力ｃｈから選択的に入力された１ないし複数の入力ｃｈ信号が混合されて、合計Ｍ通りの混合出力が出力される。Ｍ本の混合バス３３の各バスからの混合出力は、Ｍｃｈとされる出力ｃｈ部３５の各出力ｃｈ（Output Channel）３５−１，３５−２，３５−３，・・・・，３５−Ｍにそれぞれ出力される。各出力ｃｈ３５−１〜３５−Ｍでは、イコライザやコンプレッサにより周波数バランス等の音響信号の特性が調整されて、出力ｃｈ信号Mix.1,Mix.2,Mix.3,・・・,Mix.Mとして出力され、このＭ出力ｃｈ信号Mix.1~Mix.Mは、出力パッチ（Output Patch）３７に出力される。また、Ｌ，Ｒのキューバス（Cue Bus）３４においてはＮ入力ｃｈから入力された１ないし複数の入力ｃｈ信号が混合されているキュー／モニタ用の信号がキュー／モニタ部（Cue/Monitor）３６に出力される。キュー／モニタ部３６においてイコライザやコンプレッサにより周波数バランス等の音響信号の特性が調整されたキュー／モニタ出力（Cue/monitor）は、出力パッチ３７に出力される。
【００２２】
出力パッチ３７では、出力ｃｈ部３５からのＭ出力ｃｈ信号Mix.1~Mix.Mおよびキュー／モニタ部３６からのキュー／モニタ出力の何れかを、複数の出力ポート３８のいずれかに選択的にパッチ（結線）することができ、各出力ポート３８には、出力パッチ３７でパッチされた出力ｃｈ信号が供給される。出力ポート３８において、ディジタルの出力ｃｈ信号はアナログ出力信号に変換され、パッチされた出力ポート３８に接続されているアンプにより増幅されて会場に配置された複数のスピーカから放音される。さらに、この出力ポート３８からのアナログ出力信号はステージ上のミュージシャン等が耳に装着するインイヤーモニタに供給されたり、その近傍に置かれたステージモニタスピーカで再生される。また、出力パッチ３７でパッチされた出力ポート３８から出力されるディジタルの音響信号は、その出力ポート３８に接続されているレコーディングシステムやＤＡＴ等に供給されてディジタル録音することができるようになる。また、キュー／モニタ出力はアナログの音響信号に変換され、出力パッチ３７でパッチされた出力ポート３８を介して、オペレータルームに配置されたモニタ用スピーカやオペレータが装着するヘッドホン等から出力されてオペレータが検聴できるようになる。このように、出力パッチ３７では論理的なチャンネルである出力ｃｈを、物理的な出力端子である出力ポートに選択的にパッチングしている。
なお、図示していないが入力ｃｈ３２−１〜３２−Ｎの所定の位置を出力パッチ３７で出力ポート３８にパッチすることにより、ダイレクトアウトが実現されている。
【００２３】
図４に示す入力ｃｈ部３２における入力ｃｈ３２−１〜３２−Ｎは、全て同じ構成とされており、その内の入力ｃｈ３２−ｉを例に挙げて入力ｃｈの構成を図５（ａ）に示す。
図５（ａ）に示す入力ｃｈ３２−ｉには、入力パッチ３１において入力ポートのいずれかがパッチされるにようになる。入力ｃｈ３２−ｉは、アッテネータ（Att）４１、ヘッドアンプ（Ｈ／Ａ）４２、ハイパスフィルタ（ＨＰＦ）４３、イコライザ（ＥＱ）４４、ノイズゲート（Gate）４５、コンプレッサ（Comp）４６、ディレイ（Delay）４７、フェーダー（Level）４８、パン（Pan）４９を縦続接続して構成されている。アッテネータ４１は、入力されたディジタルの音響信号の減衰量を調整しており、ヘッドアンプ４２は、入力されたディジタルの音響信号を増幅しているアンプである。ハイパスフィルタ４３は、特定の周波数より低い入力されたディジタルの音響信号の帯域をカットするフィルタであり、イコライザ４４は、入力されたディジタルの音響信号の周波数特性を調整するイコライザとされており、例えば、ＨＩ，ＭＩＤ  ＨＩ，ＬＯＷ  ＭＩＤ，ＬＯＷの４バンドの各バンド毎の周波数特性を可変できるようにされている。
【００２４】
ノイズゲート４５は、ノイズを遮断するノイズゲートであり、入力されたディジタルの音響信号のレベルが基準値以下となった際に、入力されたディジタルオーディオ信号のゲインを急激に低下させてノイズを遮断している。コンプレッサ４６は、入力されたディジタルの音響信号のダイナミックレンジを狭くして、入力されたディジタルの音響信号が飽和することを防止している。ディレイ４７は、音源とパッチされた入力ポートに接続されているマイクとの距離補正を行うように、入力されたディジタルの音響信号の時間遅延を行っている。フェーダー４８は、入力チャンネル３２−ｉから混合バス３３への送り出しレベルを制御する電動フェーダ等のレベル可変手段であり、パン４９は、入力チャンネル３２−ｉからステレオに設定された２系統の混合バス３３に送られる信号の左右の定位を調節している。
入力ｃｈ３２−ｉから出力されるディジタルの音響信号は、任意の複数本の混合バス３３に供給することができると共に、キューバス３４にも供給される。
なお、ミキサーから出力されてＰＣ（ＤＡＷ）６に送ることのできるダイレクトアウトの位置は、アッテネータ４１の直前、ＨＰＦ４３の直前、フェーダー４８の直前などから選択することができる。
【００２５】
また、図４に示す出力ｃｈ部３５における出力ｃｈ３５−１〜３５−Ｍは、全て同じ構成とされており、その内の出力ｃｈ３５−ｊを例に挙げて出力ｃｈの構成を図５（ｂ）に示す。
図５（ｂ）に示す出力ｃｈ３５−ｊには混合バス３３におけるｊ本目からの混合出力が入力されている。出力ｃｈ３５−ｊは、イコライザ（ＥＱ）５１、コンプレッサ（Comp）５２、フェーダー（Level）５３、バランス（Bal）５４、ディレイ（Delay）５５、アッテネータ（Att）５６を縦続接続して構成されている。イコライザ５１は、出力されるディジタルの音響信号の周波数特性を調整するイコライザとされており、例えば、ＨＩ，ＭＩＤ  ＨＩ，ＭＩＤ，ＬＯＷ  ＭＩＤ，ＬＯＷ，ＳＵＢ  ＭＩＤの６バンドの各バンド毎に電気的特性を可変することができる。コンプレッサ５２は、出力されるディジタルの音響信号のダイナミックレンジを狭くして、出力されるディジタルの音響信号が飽和することを防止している。フェーダー５３は、出力チャンネル３５−ｊから出力パッチ３７への出力レベルを制御する電動フェーダ等のレベル可変手段であり、バランス５４は、出力チャンネル３５−ｊがステレオに設定されている場合に、左右の音量バランスを調節している。ディレイ５５は、スピーカの距離補正や定位の補正等を行うように、出力されるディジタルの音響信号の時間遅延を行っており、アッテネータ５６は、出力パッチ３７へ出力されるディジタルの音響信号の減衰量を調整している。
【００２６】
本発明の実施例の音響信号処理装置であるＰＣ（ＤＡＷ）６がミキサー１に接続されたり電源が投入されたりした際には、図６に示すフローチャートとされた接続時の処理が起動される。また、ＰＣ（ＤＡＷ）６が図２に示すオーディオネットワーク７に接続されたり電源が投入されたりした際にも、図６に示す接続時の処理が起動される。
接続時の処理がＰＣ（ＤＡＷ）６で起動されると、ステップＳ１０にてミキサー１またはオーディオネットワーク７で構成されているミキサーのチャンネル構成情報を取得するか否かを指示するウィンドウがＰＣ（ＤＡＷ）６のディスプレイに表示される。ここで、ウィンドウにおいてユーザーがチャンネル構成を取得することを指示するボタンをポインティングデバイス等でクリックすると、チャンネル構成情報を取得すると判断されてステップＳ１１に進む。ステップＳ１１では、ミキサー１にチャンネル構成情報を要求するコマンドを送ってミキサー１からチャンネル構成情報を取得したり、オーディオネットワーク７で構成されているミキサーのチャンネル構成情報を持っているデバイス、例えばコンソール部１ｃにチャンネル構成情報を要求するコマンドを送ってコンソール部１ｃからチャンネル構成情報を取得する。チャンネル構成情報には、少なくともミキサーのチャンネル数とチャンネル名とのチャンネル構成情報が含まれている。
【００２７】
ステップＳ１１でチャンネル構成情報が取得されると、ステップＳ１３にてＰＣ（ＤＡＷ）６でレコーディング時に新規作成されるプロジェクトに取得されたチャンネル構成情報が反映される。これにより、新規プロジェクトにおけるトラック数は取得したチャンネル数と同数になると共に、各トラックに取得したチャンネル名が各トラック名として順次に付与されるようになる。
また、ステップＳ１０にてユーザーがチャンネル構成を取得しないことを指示するボタンをポインティングデバイス等でクリックした場合は、チャンネル構成を取得しないと判断されてステップＳ１２に分岐する。ステップＳ１２では、現在の設定が使用されるか、新規の設定がユーザーにおいて作成される。そして、ステップＳ１３においてＰＣ（ＤＡＷ）６で新規作成されるプロジェクトにステップＳ１２で設定された構成情報が反映される。この場合は、現在の設定あるいはユーザーが設定した構成情報の新規プロジェクトとなる。
【００２８】
次に、ミキサー１あるいはオーディオネットワーク７で構成されるミキサーのチャンネル構成情報のメモリイメージを図７に示す。
図７に示すようにミキサーのチャンネル構成情報（Channel Setting）は入力チャンネル（Input Channel）側と出力チャンネル（Output Channel）側とのチャンネル構成情報からなる。図７では入力チャンネル側だけのチャンネル構成情報が示されているが、出力チャンネル側のチャンネル構成情報も同様の構成とされている。入力チャンネル側のチャンネル構成情報は、Port情報、Preference情報とParameter情報からなる。そして、Port情報は入力ポート３０の構成情報であり、物理的な入力端子を有しているＩ／ＯボックスのＩＤ（識別情報）、Port番号、Port Name情報、ヘッドアンプの設定情報（H/A Setting）等の情報から構成されている。また、Preference情報は入力チャンネルのチャンネル数を示すCh番号情報、各入力チャンネルのチャンネル名を示すCh Name情報、入力チャンネルが表示された際の表示色を示すCh Color情報、ステレオペアのLink情報等から構成されている。さらに、Parameter情報はコンプレッサ（Comp）４６等のダイナミクス系のDynamicsパラメーター、イコライザ（ＥＱ）４４のEQパラメーター、混合バス（Mix Bus）３３およびＬ，Ｒのステレオのキューバス（Cue Bus）３４への送り出しレベルのBUS Sendパラメーター、フェーダー（Level）４８のFaderパラメーター、ミュートオンあるいはオフのMuteパラメーター等から構成されている。
【００２９】
これに対して、ＰＣ（ＤＡＷ）６で動作しているＤＡＷのトラック構成情報のメモリイメージを図８に示す。
図８に示すようにＤＡＷのトラック構成情報（Track Setting）は入力トラック（Input Track）側と出力トラック（Output Track）側とのトラック構成情報からなる。図８では入力トラック側だけのトラック構成情報が示されているが、出力トラック側のトラック構成情報も同様の構成とされている。入力トラック側のトラック構成情報は、Preference情報とParameter情報からなる。そして、Preference情報はトラックのトラック数を示すTr番号情報、各トラックのトラック名を示すTr Name情報、トラックが表示された際の表示色を示すTr Color情報、ステレオペアのLink情報等から構成されている。さらに、Parameter情報はダイナミクス系のDynamicsパラメーター、イコライザのEQパラメーター、混合バスへの送り出しレベルのBUS Sendパラメーター、フェーダーのFaderパラメーター、ミュートオンあるいはオフのMuteパラメーター等から構成されている。
【００３０】
上記した接続時の処理におけるステップＳ１１で取得するチャンネル構成情報としては、ミキサーの少なくとも図７に示すPreference情報とされ、取得されたPreference情報がＤＡＷにおいて作成される新規プロジェクトのPreference情報に反映されるようになる。すなわち、Ch番号情報およびCh Name情報がTr番号情報およびTr Name情報に反映されてチャンネル数と同数作成されたトラックにそれぞれ順次にチャンネル名と同じトラック名が付与されるようになる。さらに、Ch Color情報がTr Color情報に反映されて同じ順番でチャンネルとトラックとの表示色が同じとなり、Link情報がLink情報に反映されてチャンネルのステレオペアと同じステレオペアのトラックとされる。
【産業上の利用可能性】
【００３１】
以上説明した本発明においては、ＰＣ（ＤＡＷ）６で動作しているＤＡＷでレコーディングする際に作成する新規プロジェクトにおいて、少なくともチャンネル数とチャンネル名とのチャンネル構成情報を取得するコマンドをミキサー側に送り、このコマンドに応答してミキサー側はチャンネル構成情報をＤＡＷに送るようにしていた。本発明はこれに限ることはなく、ミキサーの電源が投入された際に、ミキサーのチャンネル構成情報を送信する。そして、送信されたチャンネル構成情報を受信したＤＡＷが動作しているＰＣでは、ＤＡＷがレコーディングする際にミキサーから受信したチャンネル構成情報におけるチャンネル数やチャンネル名の情報をトラック数およびトラック名に反映させた新規プロジェクトを作成する。そして、新規プロジェクトの各トラックに録音するが、チャンネル名と同じ名称のトラック名のトラックに、そのチャンネルが録音されるようになる。また、ミキサーが起動された際に、ミキサーのチャンネル構成情報をＰＣ（ＤＡＷ）６に送るようにしてもよい。この場合も、ＰＣ（ＤＡＷ）６で動作しているＤＡＷでレコーディングする際に、ミキサーから受けたチャンネル構成情報におけるチャンネル数やチャンネル名の情報をトラック数およびトラック名に反映させた新規プロジェクトを作成して、新規プロジェクトの各トラックに録音することができる。
【符号の説明】
【００３２】
１  ミキサー、１ａ  ＡＤ／ＤＡ部、１ｂ  ＤＳＰ部、１ｃ  コンソール部、２  シンセサイザー、３ａ〜３ｈ  マイク、４  アンプ、５ａ〜５ｋ  スピーカ、６  ＰＣ（ＤＡＷ）、７  オーディオネットワーク、１０  ＣＰＵ、１１  ＲＯＭ、１２  ＲＡＭ、１３  表示ＩＦ、１４  表示部、１５  検出ＩＦ、１６  操作子、１７  通信ＩＦ、１８  通信Ｉ／Ｏ、１９  ＥＦＸ、２０  ＤＳＰ、２１  通信バス、２２  ＡＤ、２３  ＤＡ、２４  ＤＤ、２５  音声バス、３０  入力ポート、３１  入力パッチ、３２  入力チャンネル部、３２−１〜３２−ｉ〜３２−Ｎ  入力チャンネル、３３  混合バス、３４  キューバス、３５  出力チャンネル部、３５−１〜３５−Ｍ  出力チャンネル  、３６  モニタ部、３７  出力パッチ、３８  出力ポート、４１  アッテネータ、４２  ヘッドアンプ、４３  ハイパスフィルタ、４４  イコライザ、４５  ノイズゲート、４６  コンプレッサ、４７  ディレイ、４８  レベル調整、４９  パン、５１  イコライザ、５２  コンプレッサ、５３  レベル調整、５４  バランス、５５  ディレイ、５６  アッテネータ
【図１】
2013247420.tif 000003
【図２】
2013247420.tif 000004
【図３】
2013247420.tif 000005
【図４】
2013247420.tif 000006
【図５】
2013247420.tif 000007
【図６】
2013247420.tif 000008
【図７】
2013247420.tif 000009
【図８】
2013247420.tif 000010